【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
ＵＳＢ伝送線によって外部環境に位置する電子機器及び少なくとも１つのモバイル装置と電気接続し、前記ＵＳＢ伝送線内部組成は、信号伝送線及び電源伝送線を含むハブであって、前記ハブは、
前記ＵＳＢ伝送線によって前記電子機器に電気接続することに適用される第１接続端と、
前記ＵＳＢ伝送線によって前記モバイル装置に電気接続することに適用される少なくとも１つの第２接続端と、
前記第１接続端及び前記第２接続端の間に電気接続し、前記電子機器及び前記モバイル装置の間で前記信号伝送線によって相互にデータ伝送を行うことに適用される制御器と、
第１直流変換器と、
を含み、
前記第１直流変換器の入力端は、前記電源伝送線によって前記電子機器に電気接続し、前記第１直流変換器の出力端は、前記電源伝送線によって前記モバイル装置に電気接続し、前記第１直流変換器は、前記モバイル装置に安定した電圧を出力することに用いられる、ハブ。
【請求項２】
更に、電源変換器及び第３接続端を含み、前記電源変換器は、前記第３接続端によって外部環境に位置する交流電源と電気接続し、前記電源変換器は、
その入力端が前記第３接続端によって前記交流電源に電気接続する交流/直流変換器と、
その入力端が前記交流/直流変換器に電気接続する第２直流変換器と、
を含み、
前記第２直流変換器の出力端は、前記モバイル装置に電気接続する、請求項１に記載のハブ。
【請求項３】
更に、第４接続端を含み、前記第４接続端は、外部環境に位置する電子機器又は電流電源に電気接続することに適用され、前記ハブ内で前記第４接続端は、前記交流/直流変換器の出力端に電気接続し、且つ前記第２直流変換器の入力端に電気接続する、請求項２に記載のハブ。
【請求項４】
外部環境に位置する電子装置又は直流電源に電気接続することに適用される第４接続端と、
その入力端が前記第４接続端に電気接続する第２直流変換器と、
を更に含み、
前記第２直流変換器の出力端は、前記モバイル装置に電気接続される、請求項１に記載のハブ。
【請求項５】
更に、電流分配回路を含み、前記第１直流変換器の出力端及び前記第２直流変換器の出力端は、前記電流分配回路に電気接続し、且つ前記電流分配回路の出力端は、前記モバイル装置に電気接続する、請求項２又は４に記載のハブ。
【請求項６】
前記第２直流変換器は、定電流定電圧機能を有する、請求項２又は４に記載のハブ。
【請求項７】
更に、電源制御器及び電流センサを含み、前記電源制御器は、前記第１直流変換器と電気接続し、前記電流センサは、前記第１直流変換器及び前記電子機器の間に電気接続し、前記電源制御器は、前記電流センサによって前記電子機器の出力電圧及び出力電流を検出し、前記出力電圧が電圧所定値より小さいか、又は前記出力電流が電流所定値より大きい場合、前記電源制御器は、前記第１直流変換器の出力電圧を低減する、請求項１乃至請求項４の何れか１項に記載のハブ。
【請求項８】
更に、ブリッジ制御器を含み、前記ブリッジ制御器は、前記制御器に電気接続し、前記ブリッジ制御器は、異なる信号フォーマット間の変換を行うことに適用される、請求項１乃至請求項４の何れか１項に記載のハブ。
【請求項９】
前記電子機器は、ＵＳＢインタフェースを有し、前記ＵＳＢインタフェースは、前記第１接続端に電気接続する、請求項１乃至請求項４の何れか１項に記載のハブ。
【請求項１０】
前記第２直流変換器と電気接続し、前記第２直流変換器の出力電圧及び出力電流を検出することに適用される第１電流センサと、
前記第１直流センサと電気接続する第３直流変換器と、
前記第３直流変換器と電気接続し、前記第３直流変換器の出力電圧を前記モバイル装置が必要とする充電電圧に変換することに適用される少なくとも１つの第４直流変換器と、
前記第３直流変換器及び前記第４直流変換器の間に電気接続するエネルギー蓄積素子と、
前記第２直流変換器、前記第１電流センサ、前記第３直流変換器、前記エネルギー蓄積素子と電気接続し、第１電流所定値及び第１電圧所定値を有するエネルギー蓄積素子制御回路と、
を更に含み、前記第２直流変換器の出力電流が前記第１電流所定値より小さく且つ前記第２直流変換器の出力電圧が前記第１電圧所定値より大きい時、前記エネルギー蓄積素子制御回路は、前記第３直流変換器の出力電圧を前記エネルギー蓄積素子の出力電圧より大きく設定し、それにより前記第２直流変換器に前記モバイル装置及び前記エネルギー蓄積素子に対して充電させ、
前記第２直流変換器の出力電流が前記第１直流所定値より大きいか、又は前記第２直流変換器の出力電圧が前記第１電圧所定値より小さい時、前記エネルギー蓄積素子制御回路は、前記第３直流変換器の出力電圧を前記エネルギー蓄積素子の出力電圧まで降下させるよう設定し、前記第２直流変換器及び前記エネルギー蓄積素子から前記モバイル装置に同時に充電を行う、請求項２乃至請求項４の何れか１項に記載のハブ。
【請求項１１】
更に、第２直流センサ及び第１スイッチング素子を含み、前記第２直流センサ及び前記第１スイッチング素子が相互に電気接続し、前記第２電流センサは、それぞれ前記エネルギー蓄積素子制御回路及び前記第１直流変換器と前記第２直流変換器との間に電気接続し、前記第１スイッチング素子は、それぞれ前記エネルギー蓄積素子制御回路及び前記エネルギー蓄積素子に電気接続し、前記第２電流センサは、前記エネルギー蓄積素子の充電電流及び放電電流を検出することに適用され、
前記エネルギー蓄積素子の充電電流及び放電電流が第２電流所定値より大きいか、又は前記エネルギー蓄積素子の充電電圧又は放電電圧が第２電圧所定値を超える時、前記第１スイッチング素子は、短絡を呈する、請求項１０に記載のハブ。
【請求項１２】
前記交流/直流変換器に電気接続する第５直流変換器と、
前記電子機器及び前記第５直流変換器の間に電気接続し、且つ前記電子機器及び前記第１直流変換器の間に電気接続する第２スイッチング素子と、
制御回路と、
を更に含み、前記制御回路の出力端が前記第５直流変換器及び前記第２スイッチング素子に電気接続し、前記制御回路の入力端が前記電子機器に電気接続し、相互に信号を伝送し、
前記第５直流変換器の出力電圧は、制御回路によって調整することができ、前記制御回路は、前記第２スイッチング素子を制御し、前記電子機器及び前記第５直流変換器の間の電気接続をオン又はオフにし、前記電子機器及び前記第１直流変換器の間の電気接続をオン又はオフにする、請求項３に記載のハブ。
【請求項１３】
前記第３接続端は、前記交流電源に電気接続し、前記第１接続端は、前記電子機器に電気接続し、且つ前記第４接続端は、前記電子装置にも前記直流電源にも電気接続していない時、前記制御回路は、前記第２スイッチング素子を制御し、前記電子機器及び前記第５直流変換器の間の電気接続をオフにし、前記電子機器及び前記第１直流変換器の間の電気接続をオンにする、請求項１２に記載のハブ。
【請求項１４】
前記第３接続端が前記交流電源に電気接続し、且つ前記第１接続端が前記電子機器に電気接続する時、前記制御回路は、前記第２スイッチング素子を制御し、前記電子機器及び前記第５直流変換器の間の電気接続をオンにし、前記電子機器及び前記第１直流変換器の間の電気接続をオフにする、請求項１２に記載のハブ。
【請求項１５】
前記第３接続端が前記交流電源に電気接続せず、前記第１接続端が前記電子機器に電気接続し、且つ前記第４接続端は、前記直流電源に電気接続する時、前記制御回路は、前記第２スイッチング素子を制御し、前記電子機器及び前記第５直流変換器の間の電気接続をオンにし、前記電子機器及び前記第１直流変換器の間の電気接続をオフにする、請求項１２に記載のハブ。
【請求項１６】
前記交流/直流変換器及び前記第５直流変換器の間に電気接続する、第３スイッチング素子と、
前記交流/直流変換器及び前記第４接続端の間に電気接続する第６直流変換器と、
を更に含み、
前記第６直流変換器は、昇圧変換器であり、且つ更に前記第２スイッチング素子に電気接続し、前記第２直流変換器は、降圧変換器であり、且つ更に前記第２スイッチング素子に電気接続する、請求項１２に記載のハブ。
【請求項１７】
前記交流/直流変換器は、更に、前記第２スイッチング素子に電気接続する、請求項１６に記載のハブ。
【請求項１８】
前記制御器は、前記モバイル装置に信号を発送することに適用され、前記モバイル装置に急速充電モードを起動させる請求項１に記載のハブ。
【請求項１９】
外部環境に位置する電子機器及び少なくとも１つのモバイル装置と電気接続するハブであって、
前記ハブは、
前記電子機器に電気接続することに適用される第１接続端と、
前記モバイル装置に電気接続することに適用される少なくとも１つの第２接続端と、
前記第１接続端及び前記第２接続端の間に電気接続し、前記電子機器及び前記モバイル装置の間で相互データ伝送を行わせることに適用される制御器と、
前記第１接続端に電気接続し、前記電子機器の出力電圧及び出力電流を検出することに適用される第１電流センサと、
前記第１電流センサと電気接続する第３直流変換器と、
前記第３直流変換器及び前記第２接続端と電気接続し、前記第３直流変換器の出力電圧を前記モバイル装置が必要な充電電圧に変換することに適用される少なくとも１つの第４直流変換器と、
前記第３直流変換器及び前記第４直流変換器の間に電気接続するエネルギー蓄積素子と、
前記電子機器、前記第１電流センサ、前記第３直流変換器、前記エネルギー蓄積素子と電気接続し、第１電流所定値及び第１電圧所定値を有するエネルギー蓄積素子制御回路と、
を含み、
前記電子機器の出力電流が前記第１電流所定値より小さく且つ前記電子機器の出力電圧が前記第１電圧所定値より大きい時、前記エネルギー蓄積素子制御回路は、前記第３直流変換器の出力電圧を前記エネルギー蓄積素子の出力電圧より大きく設定し、それにより、前記電子機器に前記モバイル装置及び前記エネルギー蓄積素子に対して充電させ、
前記電子機器の出力電流が前記第１電流所定値より大きいか、又は前記電子機器の出力電圧が前記第１所定値より小さい場合、前記エネルギー蓄積素子制御回路は、前記第３直流変換器の出力電圧を前記エネルギー蓄積素子の出力電圧まで降下するよう設定し、前記電子機器及び前記エネルギー蓄積素子から同時に前記モバイル装置に対して充電する、ハブ。
【請求項２０】
前記制御器は、前記モバイル装置に信号を発送することに適用され、前記モバイル装置に急速充電モードを起動させる請求項１９に記載のハブ。
【請求項２１】
前記モバイル装置の急速充電モードは、前記モバイル装置に対する充電電流が５００ｍＡより高いものである、請求項１８乃至請求項２０の何れか一項に記載のハブ。
【請求項２２】
前記第１接続端は、ＵＳＢ３．１ｔｙｐｅＣ接続ポートであり、且つ前記電子機器は、ＵＳＢ  ＰＤのプロトコルによって被充電又は給電の二種のモードを備える請求項１又は請求項１９に記載のハブ。